【手続補正書】
【提出日】平成28年8月31日(2016.8.31)
【手続補正１】
【補正対象書類名】明細書
【補正対象項目名】発明の名称
【補正方法】変更
【補正の内容】
【発明の名称】情報処理装置及びその制御方法、並びにプログラム
【手続補正２】
【補正対象書類名】明細書
【補正対象項目名】０００１
【補正方法】変更
【補正の内容】
【０００１】
本発明は、情報処理装置及びその制御方法、並びにプログラムに関し、特に、前回使用時の設定を記憶し、次回使用時にその設定を再現するレジューム機能を備えた情報処理装置及びその制御方法、並びにプログラムに関する。
【手続補正３】
【補正対象書類名】明細書
【補正対象項目名】０００９
【補正方法】変更
【補正の内容】
【０００９】
本発明は、前回使用時の設定を記憶し、次回使用時にその設定を容易に再現することができる技術を提案する。
【手続補正４】
【補正対象書類名】明細書
【補正対象項目名】００１０
【補正方法】変更
【補正の内容】
【００１０】
上記目的を達成するために、本発明の情報処理装置は、原稿の画像を読み取って生成した画像データに基づいて印刷を実行するコピージョブの設定画面を表示する表示手段と、前記設定画面を介して、前記コピージョブの設定値をユーザから受け付ける設定受付手段と、前記設定受付手段が前記コピージョブの設定値を受け付けた状態で前記コピージョブとは別のコピージョブの設定値を入力するための指示をユーザから受け付ける指示受付手段と、前記指示受付手段が前記指示を受け付けたときに前記表示手段によって表示されている前記設定画面の画面情報を保持する保持手段とを備え、前記表示手段は、前記別のコピージョブの実行が完了したことに従って、前記保持手段に保持され前記画面情報に基づいて、前記指示の受付時に表示されていた前記設定画面を再現することを特徴とする。
【手続補正５】
【補正対象書類名】明細書
【補正対象項目名】００１１
【補正方法】変更
【補正の内容】
【００１１】
本発明によれば、コピージョブの設定値が途中まで入力された状態でコピージョブとは別のコピージョブの設定値を入力するための指示を受け付けて、別のコピージョブの実行が完了したときにコピージョブの設定画面を再現するので、ユーザは、再び表示されたコピージョブの設定画面を介して、コピージョブの設定値の入力を続きから行うことができる。
【手続補正６】
【補正対象書類名】特許請求の範囲
【補正対象項目名】全文
【補正方法】変更
【補正の内容】
【特許請求の範囲】
【請求項１】
原稿の画像を読み取って生成した画像データに基づいて印刷を実行するコピージョブの設定画面を表示する表示手段と、
前記設定画面を介して、前記コピージョブの設定値をユーザから受け付ける設定受付手段と、
前記設定受付手段が前記コピージョブの設定値を受け付けた状態で前記コピージョブとは別のコピージョブの設定値を入力するための指示をユーザから受け付ける指示受付手段と、
前記指示受付手段が前記指示を受け付けたときに前記表示手段によって表示されている前記設定画面の画面情報を保持する保持手段とを備え、
前記表示手段は、前記別のコピージョブの実行が完了したことに従って、前記保持手段に保持された前記画面情報に基づいて、前記指示の受付時に表示されていた前記設定画面を再現することを特徴とする情報処理装置。
【請求項２】
前記指示受付手段が前記指示を受け付けたか否かを判断する第１の判断手段をさらに備え、
前記保持手段は、前記指示受付手段が前記指示を受け付けたと前記第１の判断手段によって判断されたときに前記表示手段によって表示されている前記設定画面の画面情報を保持することを特徴とする請求項１に記載の情報処理装置。
【請求項３】
前記指示受付手段が前記指示を受け付けてから所定時間が経過しても前記別のコピージョブの実行が完了しないときは、前記保持手段に保持された前記画像情報は削除されることを特徴とする請求項１または２に記載の情報処理装置。
【請求項４】
前記コピージョブは、前記コピージョブの設定値に基づいて実行されること特徴とする請求項１乃至３のいずれか１項に記載の情報処理装置。
【請求項５】
前記保持手段は、前記設定受付手段が受け付けた前記コピージョブの設定値を保持し、
前記表示手段は、前記別のコピージョブの実行が完了したことに従って、前記保持手段に保持された前記コピージョブの設定値、及び前記保持手段に保持された前記画面情報に基づいて前記設定画面を再現することを特徴とする請求項１乃至４のいずれか１項に記載の情報処理装置。
【請求項６】
前記別のコピージョブの実行が完了したか否かを判断する第２の判断手段をさらに備え、
前記表示手段は、前記別のコピージョブの実行が完了したと前記第２の判断手段によって判断されたことに従って、前記保持手段に保持された前記画面情報に基づいて前記設定画面を再現すること特徴とする請求項１乃至５のいずれか１項に記載の情報処理装置。
【請求項７】
前記画像データを生成すべく原稿の画像を読み取る読取り手段と、
前記画像データに基づいて用紙に画像を印刷する印刷手段と、をさらに備え、
前記コピージョブは、前記読取り手段によって前記原稿の画像を読み取って生成された画像データに基づいて用紙に画像を印刷するジョブであることを特徴とする請求項１乃至６のいずれか１項に記載の情報処理装置。
【請求項８】
情報処理装置の制御方法であって、
原稿の画像を読み取って生成した画像データに基づいて印刷を実行するコピージョブの設定画面を表示する表示ステップと、
前記設定画面を介して、前記コピージョブの設定値をユーザから受け付ける設定受付ステップと、
前記設定受付ステップで前記コピージョブの設定値を受け付けた状態で前記コピージョブとは別のコピージョブの設定値を入力するための指示をユーザから受け付ける指示受付ステップと、
前記指示受付ステップで前記指示を受け付けたときに前記表示ステップで表示されている前記設定画面の画面情報を保持する保持ステップと、
前記別のコピージョブの実行が完了したことに従って、前記保持ステップで保持された前記画面情報に基づいて、前記指示の受付時に表示されている前記設定画面を再現する再現ステップと、
を有することを特徴とする情報処理装置の制御方法。
【請求項９】
原稿の画像を読み取って生成した画像データを外部装置に送信するセンドジョブの設定画面を表示する表示手段と、
前記設定画面を介して、前記センドジョブの設定値をユーザから受け付ける設定受付手段と、
前記設定受付手段によって前記センドジョブの設定値を受け付けた状態で前記センドジョブとは別のセンドジョブを設定値を入力するための指示をユーザから受け付ける指示受付手段と、
前記指示受付手段が前記指示を受け付けたときに前記表示手段によって表示されている前記設定画面の画面情報を保持する保持手段とを備え、
前記表示手段は、前記別のセンドジョブの実行が完了したことに従って、前記保持手段に保持された前記画面情報に基づいて、前記指示の受付時に表示されていた前記設定画面を再現することを特徴とする情報処理装置。
【請求項１０】
前記保持手段は、前記設定受付手段が受け付けた前記センドジョブの設定値を保持し、
前記表示手段は、前記別のセンドージョブの実行が完了したことに従って、前記保持手段に保持された前記センドジョブの設定値、及び前記保持手段に保持された前記画面情報とに基づいて前記設定画面を再現すること特徴とする請求項９に記載の情報処理装置。
【請求項１１】
前記センドジョブは、前記センドジョブの設定値に基づいて実行されること特徴とする請求項９または１０に記載の情報処理装置。
【請求項１２】
前記指示受付手段が前記指示を受け付けてから所定時間が経過しても前記別のセンドジョブの実行が完了しないときは、前記保持手段に保持された前記画像情報は削除されることを特徴とする請求項９乃至１１のいずれか1項に記載の情報処理装置。
【請求項１３】
前記指示受付手段が前記指示を受け付けたか否かを判断する第１の判断手段をさらに備え、
前記保持手段は、前記指示受付手段が前記指示を受け付けたと前記第１の判断手段によって判断されたときに前記表示手段によって表示されている前記設定画面の画面情報を保持することを特徴とする請求項９乃至１２のいずれか1項に記載の情報処理装置。
【請求項１４】
前記別のセンドジョブの実行が完了したか否かを判断する第２の判断手段をさらに備え、
前記表示手段は、前記別のセンドジョブの実行が完了したと前記第２の判断手段によって判断されたことに従って、前記保持手段に保持された前記画面情報に基づいて前記設定画面を再現すること特徴とする請求項９乃至１３のいずれか１項に記載の情報処理装置。
【請求項１５】
前記画像データを生成すべく原稿の画像を読み取る読取り手段と、
ネットワークを介して前記画像データを外部装置に送信する送信手段と、をさらに備え、
前記センドジョブは、前記読取り手段によって前記原稿の画像を読み取って生成された画像データを前記外部装置に送信するジョブである請求項９乃至１４のいずれか１項に記載の情報処理装置。
【請求項１６】
情報処理装置の制御方法であって、
原稿の画像を読み取って生成した画像データを外部装置に送信するセンドジョブの設定画面を表示する表示ステップと、
前記設定画面を介して、前記センドジョブの設定値をユーザから受け付ける設定受付ステップと、
前記設定受付ステップで前記センドジョブの設定値を受け付けた状態で前記センドジョブとは別のセンドジョブの設定値を入力するための指示をユーザから受け付ける指示受付ステップと、
前記指示受付ステップで前記指示を受け付けたときに前記表示ステップで表示されている前記設定画面の画面情報を保持する保持ステップと、
前記別のセンドジョブの実行が完了したことに従って、前記保持ステップで保持された前記画面情報に基づいて、前記指示の受付時に表示されていた前記設定画面を再現する再現ステップと、
を有することを特徴とする情報処理装置の制御方法。
【請求項１７】
請求項８または１６記載の制御方法をコンピュータに実行させるためのプログラム。